(57)【特許請求の範囲】
【請求項１】
処理槽の開口部に形成された凹状の蓋受部に設置する処理槽用覆蓋において、覆蓋本体の両端に、前記蓋受部の対向する立ち上がり面に内向きに突設した固定係合片を嵌入する第１凹部及び第２凹部を形成し、前記第１凹部に、前記一方の固定係合片と選択的に係合する可動係合片を形成した中空状の操作軸と、前記固定係合片が通過することができる開口部を形成した底板と、前記操作軸を外嵌することにより操作軸を回転可能に支持する底板に立設した軸受と、操作軸と軸受により形成された閉鎖空間内に配設したばね部材とを備えた第１凹部部材を配設し、前記第２凹部に、前記他方の固定係合片と係合する固定係合片を備えた第２凹部部材を配設したことを特徴とする処理槽用覆蓋。
【請求項２】
可動係合片を仮係止するストッパを備えたことを特徴とする請求項１記載の処理槽用覆蓋。
【請求項３】
覆蓋本体の裏面の所定位置にナット保持部材を埋め込み、該ナット保持部材に保持したナットに、把手部材の固定用ボルトを螺合するようにしたことを特徴とする請求項１又は２記載の処理槽用覆蓋。
【発明の詳細な説明】
【０００１】
【発明の属する技術分野】
本発明は、浄化槽や上下水処理場の水処理槽などの処理槽の開口部に形成された凹状の蓋受部に着脱可能に設置する処理槽用覆蓋に関するものである。
【０００２】
【従来の技術】
浄化槽や上下水処理場の水処理槽などの処理槽においては、通常、覆蓋を設けるようにしているが、この覆蓋は、処理槽の清掃や点検のために、着脱できるように構成されている。
【０００３】
図７〜図８に、従来の処理槽用覆蓋を適用した処理槽の一例を示す。
処理槽Ｐは、矩形の開口部１００の周縁に凹状の蓋受部１１０が形成されており、この蓋受部１１０に覆蓋Ａを着脱可能に設置するように構成されている。
【０００４】
この場合において、覆蓋Ａには、覆蓋Ａが蓋受部１１０から離脱したり、移動しないように、蓋受部１１０の対向する位置に内向きに固定係合片２０４，２０５を突設するとともに、覆蓋本体２０１の一端に、一方の固定係合片２０４と選択的に係合する可動係合片２０３を形成した操作軸２０２を、覆蓋本体２０１の他端に、他方の固定係合片２０５と係合する固定係合片２０６を、それぞれ配設するようにしている。
また、操作軸２０２には、操作軸２０２の非操作時の回転を防止するために、覆蓋本体２０１と可動係合片２０３の間にばね部材２０８を配設するようにしている。
さらに、覆蓋Ａには、覆蓋本体２０１の適宜位置（本例においては、２箇所）に、把手部材２１０をボルト・ナット２０７を用いて固定するようにしている。
【０００５】
この覆蓋Ａは、操作軸２０２を回転操作することにより、可動係合片２０３が固定係合片２０４と係合しない非係止位置（図８のａ位置）と、係合する係止位置（図８のｂ位置）とに選択的に位置させることができるように構成されている。
【０００６】
【発明が解決しようとする課題】
ところで、上記従来の処理槽用覆蓋においては、操作軸２０２を覆蓋本体２０１に直接支持するとともに、ばね部材２０８を覆蓋本体２０１と可動係合片２０３の間に露出して配設するようにしているため、操作軸２０２の摺動面を構成する部材間に土砂等の異物が入り込みやすく、長期間の使用により、操作軸２０２を回転操作することが困難になるという問題があった。
また、蓋受部１１０の対向する位置に内向きに突設した固定係合片２０４，２０５、覆蓋本体２０１の配設した可動係合片２０３及び固定係合片２０６並びに把手部材２１０を固定するボルト・ナット２０７等、処理槽Ｐの開口部１００内に突出する部材や覆蓋本体２０１から突出する部材が多くあるため、処理槽Ｐの清掃や点検のために作業者が出入りする際の邪魔となり、作業者が引っ掛かってけがをしたり、蓋受部１１０から外した覆蓋Ａを他の覆蓋Ａ上に載置したときに覆蓋Ａの表面の塗装等を傷つける等の問題があった。
【０００７】
本発明は、上記従来の処理槽用覆蓋の有する問題点に鑑み、長期間に亘って安定して使用することができるとともに、突出する部材がなく安全性の高い処理槽用覆蓋を提供することを目的とする。
【０００８】
【課題を解決するための手段】
上記目的を達成するため、本発明の処理槽用覆蓋は、処理槽の開口部に形成された凹状の蓋受部に設置する処理槽用覆蓋において、覆蓋本体の両端に、前記蓋受部の対向する立ち上がり面に内向きに突設した固定係合片を嵌入する第１凹部及び第２凹部を形成し、前記第１凹部に、前記一方の固定係合片と選択的に係合する可動係合片を形成した中空状の操作軸と、前記固定係合片が通過することができる開口部を形成した底板と、前記操作軸を外嵌することにより操作軸を回転可能に支持する底板に立設した軸受と、操作軸と軸受により形成された閉鎖空間内に配設したばね部材とを備えた第１凹部部材を配設し、前記第２凹部に、前記他方の固定係合片と係合する固定係合片を備えた第２凹部部材を配設したことを特徴とする。
【０００９】
この処理槽用覆蓋は、可動係合片を形成した中空状の操作軸を底板に立設した軸受に外嵌し、操作軸と軸受により形成された閉鎖空間内にばね部材を配設するようにしているため、操作軸の摺動面を構成する部材間に土砂等の異物が入り込みにくく、長期間に亘って安定して操作軸を回転操作することができるとともに、ばね部材が腐食することを防止することができる。
また、覆蓋本体の両端に、蓋受部の対向する立ち上がり面に内向きに突設した固定係合片を嵌入する第１凹部及び第２凹部を形成し、この第１凹部及び第２凹部に、第１凹部部材及び第２凹部部材をそれぞれ配設するようにしているため、処理槽の開口部内に突出する部材や覆蓋本体から突出する部材を無くすことができる。
【００１０】
この場合において、可動係合片を仮係止するストッパを備えることができる。
【００１１】
これにより、可動係合片を、固定係合片と係合しない非係止位置と、係合する係止位置とに選択的に確実に位置させることができる。
【００１２】
また、覆蓋本体の裏面の所定位置にナット保持部材を埋め込み、該ナット保持部材に保持したナットに、把手部材の固定用ボルトを螺合するように構成することができる。
【００１３】
これにより、把手部材の固定用ボルト及びナットが覆蓋本体から突出することを防止しながら、固定用ボルト及びナットにより、把手部材を確実に固定することができる。
【００１４】
【発明の実施の形態】
以下、本発明の処理槽用覆蓋の実施の形態を図面に基づいて説明する。
図１〜図６に、本発明の処理槽用覆蓋を適用した処理槽の一実施例を示す。
【００１５】
処理槽Ｐは、矩形の開口部１００の周縁に凹状の蓋受部１１０が形成されており、この蓋受部１１０に覆蓋Ａを着脱可能に設置するように構成されている。
蓋受部１１０は、開口部１００の周縁にＬ形鋼を埋設することによって形成し、この蓋受部１１０の対向する立ち上がり面１１１，１１２に、内向きに固定係合片２，３をそれぞれ突出するようにする。
この固定係合片２，３は、覆蓋Ａが蓋受部１１０から離脱したり、移動しないように保持するためのもので、所定の幅と厚みを有する鋼板を、立ち上がり面１１１，１１２に溶接等により固定するようにする。
この場合、固定係合片２，３の先端が、処理槽Ｐの開口部１００に突出しないように、その突出長さを決定するようにする。
【００１６】
覆蓋Ａを構成するパネル状の覆蓋本体１は、特に限定されるものではないが、ＦＲＰ、発泡プラスチック等の合成樹脂（複合）材料から形成することが好ましく、表面に滑り止めの模様１１を形成するとともに、その両端に、蓋受部１１０の対向する立ち上がり面１１１，１１２に内向きに突設した固定係合片２，３を嵌入する第１凹部４及び第２凹部５を形成し、第１凹部４に第１凹部部材４０を、第２凹部５に第２凹部部材５０を、覆蓋本体１の裏面と面一になるように配設し、ビス等により固定するようにする。
【００１７】
第１凹部４に配設する第１凹部部材４０は、特に限定されるものではないが、硬質の合成樹脂材料から形成することが好ましく、一方の固定係合片２を嵌入する空間４１と、この固定係合片２と選択的に係合する可動係合片４４を形成した中空状の操作軸４３と、底板４５に立設した操作軸４３を外嵌することにより操作軸４３を回転可能に支持する軸受４２と、操作軸４３と軸受４２により形成された閉鎖空間内に配設したばね部材４７とを備えている。
【００１８】
この場合において、第１凹部部材４０の底板４５には、蓋受部１１０に覆蓋Ａを設置する際に、固定係合片２が通過することができる開口部４５ａを形成するようにする。
【００１９】
また、操作軸４３には、正三角形の穴４３ａが形成されていて、この穴４３ａに、操作具７の係片７ａを嵌合して、操作軸４２を回転操作するようにする。
本実施例においては、操作具７に、大きな操作保持部７ｂを備えた特殊仕様のものを使用するようにしているため、操作軸４２を回転操作を行うのに大きな力を要する場合であっても、当該操作を円滑に行うことができる。
この穴４３ａの形状は、正三角形のほか、二等辺三角形等、任意に形状に形成することができるが、三角形の頂点と可動係合片４４を形成する方向を一致させることにより、穴４３ａの位置で可動係合片４４の位置を知ることができる。
【００２０】
また、可動係合片４４を仮係止するストッパ４６を備えることにより、可動係合片４４を、可動係合片４４が固定係合片２と係合しない非係止位置（図１（ａ）のａ位置）と、係合する係止位置（図１（ａ）のｂ位置）とのいずれかに、選択的に、かつ確実に位置させることができる。
本実施例においては、ストッパ４６として、固定係合片２と可動係合片４４とが係合する係止位置で、可動係合片４４を仮係止できるように、可動係合片４４の下面端部と、これに対応する第１凹部部材４０の底板４５の上面に、それぞれ凹部及び凸部を形成するようにしているが、これに限定されず、例えば、可動係合片４４の先端縁と、これに対応する第１凹部部材４０の適宜位置に、それぞれ凹部及び凸部を形成するように構成することもできる。
【００２１】
また、操作軸４３と軸受４２により形成された閉鎖空間内に配設したばね部材４７は、操作軸４３を上方に向けて付勢し、これによって、操作軸４３の非操作時の回転を防止することができる。
この場合、軸受４２内に、ばね部材４７のずれ防止リブ４２ａを形成することが好ましい。
なお、本実施例においては、操作軸４３が、ばね部材４７により上方に向けて付勢されることにより、可動係合片４４が、固定係合片２と係合しない非係止位置（図１（ａ）のａ位置）においては、操作軸４３の段部の上面４３ｂが第１凹部４の下面４ａに当接するまで、また、係合する係止位置（図１（ａ）のｂ位置）においては、可動係合片４４が固定係合片２に当接するまで、上昇することにより、操作軸４３の上端が、覆蓋本体１の表面より若干突出するようにしている（非係止位置と係止位置とで、操作軸４３の上端の突出量が異なるため、これによっても、可動係合片４４の位置を知ることができる。）が、係止位置において、又は係止位置及び非係止位置のいずれの位置においても、操作軸４３の上端が、覆蓋本体１の表面からほとんど突出しないように、固定係合片２、第１凹部４、操作軸４３、可動係合片４４等、各部材の形状を設計することもできる。
【００２２】
一方、第２凹部５に配設する第２凹部部材５０は、特に限定されるものではないが、硬質の合成樹脂材料から形成することが好ましく、他方の固定係合片３を嵌入する空間５１と、この固定係合片３と係合する固定係合片５２を備えている。
【００２３】
覆蓋Ａには、覆蓋本体１の適宜位置（本実施例においては、２箇所）に、把手部材６をボルト６２及びナット６３を用いて固定するようにしている。
この場合、覆蓋本体１の裏面の所定位置に、図６に示す、周面に回り止め用の突条６１ａを形成したナット保持部材６１を埋め込み、ナット保持部材６１に保持したナット６３に、把手部材６の固定用ボルト６２を螺合するようにする。
これにより、把手部材６の固定用ボルト６２及びナット６３が覆蓋本体１の裏面から突出することを防止しながら、固定用ボルト６２及びナット６３により、把手部材６を確実に固定することができる。
【００２４】
次に、この処理槽用覆蓋の使用方法について説明する。
覆蓋Ａを蓋受部１１０に設置するには、覆蓋Ａの第２凹部５側を蓋受部１１０に載置し、第２凹部部材５０の空間５１に固定係合片３を嵌入した状態で、覆蓋Ａを第２凹部５側を支点として回転させることにより、覆蓋Ａの第１凹部４側を徐々に降下させ、凹状の蓋受部１１０内に載置する。
このとき、可動係合片４４は、固定係合片２と係合しない非係止位置（図１（ａ）のａ位置）に位置させておくものとする。
覆蓋Ａを蓋受部１１０に載置した後、操作具７を用いて、操作軸４３を回転操作することにより、可動係合片４４を、固定係合片２と係合しない非係止位置（図１（ａ）のａ位置）から、固定係合片２と係合する係止位置（図１（ａ）のｂ位置）に移動させ、覆蓋Ａの蓋受部１１０への設置を完了する。
【００２５】
覆蓋Ａを蓋受部１１０から外すには、操作具７を用いて、操作軸４３を、逆に回転操作することにより、可動係合片４４を、固定係合片２と係合する係止位置（図１（ａ）のｂ位置）から、固定係合片２と係合しない非係止位置（図１（ａ）のａ位置）に移動させる。
その後、覆蓋Ａを第２凹部５側を支点として回転させることにより、覆蓋Ａの第１凹部４側を徐々に上昇させ、第２凹部部材５０の空間５１から固定係合片３を抜出した状態で、覆蓋Ａを蓋受部１１０から離脱させる。
【００２６】
【発明の効果】
本発明の処理槽用覆蓋によれば、可動係合片を形成した中空状の操作軸を底板に立設した軸受に外嵌し、操作軸と軸受により形成された閉鎖空間内にばね部材を配設するようにしているため、操作軸の摺動面を構成する部材間に土砂等の異物が入り込みにくく、長期間に亘って安定して操作軸を回転操作することができるとともに、ばね部材が腐食することを防止することができ、覆蓋の耐久性を向上することができる。
また、覆蓋本体の両端に、蓋受部の対向する立ち上がり面に内向きに突設した固定係合片を嵌入する第１凹部及び第２凹部を形成し、この第１凹部及び第２凹部に、第１凹部部材及び第２凹部部材をそれぞれ配設するようにしているため、処理槽の開口部内に突出する部材や覆蓋本体から突出する部材を無くすことができ、これにより、処理槽の清掃や点検のために作業者が出入りする際の邪魔とならず、安全性が向上するとともに、蓋受部から外した覆蓋を他の覆蓋上に載置したときに覆蓋の表面の塗装等を傷つけることがなく、覆蓋の耐久性を向上することができる。
【００２７】
また、可動係合片を仮係止するストッパを備えることにより、可動係合片を、固定係合片と係合しない非係止位置と、係合する係止位置とに選択的に確実に位置させることができ、操作軸の非操作時に、可動係合片と固定係合片の係合が解除されたり、外していた覆蓋を蓋受部に設置する際に、可動係合片が固定係合片にぶつかり、部材が破損する事故を防止することができる。
【００２８】
また、覆蓋本体の裏面の所定位置にナット保持部材を埋め込み、該ナット保持部材に保持したナットに、把手部材の固定用ボルトを螺合するように構成することにより、把手部材の固定用ボルト及びナットが覆蓋本体から突出することを防止して、覆蓋の耐久性を向上しながら、固定用ボルト及びナットにより、把手部材を確実に固定することができる。
【図面の簡単な説明】
【図１】  本発明の処理槽用覆蓋を適用した処理槽を示し、（ａ）は平面図、（ｂ）は正面縦断面図（（ａ）のＡ−Ａ線断面図）である。
【図２】  第１凹部部材を示し、（ａ）は平面図、（ｂ）は側面図である。
【図３】  可動係合片を形成した操作軸を示し、（ａ）は平面図、（ｂ）は正面縦断面図（（ａ）のＢ−Ｂ線断面図）、（ｃ）は底面図である。
【図４】  操作軸の操作具を示し、（ａ）は正面図、（ｂ）は底面図、（ｃ）は側面図である。
【図５】  第２凹部部材を示し、（ａ）は平面図、（ｂ）は側面図である。
【図６】  ナット保持部材を示し、（ａ）は平面図、（ｂ）は正面縦断面図（（ａ）のＣ−Ｃ線断面図）である。
【図７】  従来の処理槽用覆蓋を適用した処理槽を示す正面縦断面図である。
【図８】  同要部を示す平面図である。
【符号の説明】
１    覆蓋本体
２    固定係合片
３    固定係合片
４    第１凹部
４０  第１凹部部材
４１  空間
４２  軸受
４３  操作軸
４４  可動係合片
４６  ストッパ
４７  ばね部材
５    第２凹部
５０  第２凹部部材
５１  空間
５２  固定係合片
６    把手部材
６１  ナット保持部材
７    操作具
１００  開口部
１１０  蓋受部
１１１  立ち上がり面
ｌ１２  立ち上がり面
Ａ  覆蓋
Ｐ  処理槽
【図１】
0003654760.tif 000002
【図２】
0003654760.tif 000003
【図３】
0003654760.tif 000004
【図４】
0003654760.tif 000005
【図５】
0003654760.tif 000006
【図６】
0003654760.tif 000007
【図７】
0003654760.tif 000008
【図８】
0003654760.tif 000009